(57)【特許請求の範囲】
【請求項１】
エアドライヤー（３０）と除菌を含むフィルター（４０Ａ）の順で圧縮空気が上流から流入し下流から流出するように圧縮空気配管（９２ｂ、９３、９４ａ、９４ｂ）で接続し、更に前記エアドライヤー（３０）で圧縮空気より発生したドレン水を流すドレン配管（１２１、１２２、１２３、１２４）と前記フィルター（４０Ａ）で圧縮空気より発生したドレン水を流すドレン配管（１３１ａ、１３１ｂ、１３２ａ、１３２ｂ、１３３ａ、１３３ｂ、１３４ａ、１３４ｂ）を介して下流ではドレン水を集めて流出するようにしたドレン集合管（１４０）で接続し、圧縮空気が前記エアドライヤー（３０）に流入するように接続している前記圧縮空気配管（９２ｂ）の他端にＴ型の継手（１０１）を配設し、前記フィルター（４０Ａ）から流出するように接続している前記圧縮空気配管（９４ｂ）の他端にＴ型の継手（１０３）を配設し、前記Ｔ型の継手（１０１、１０３）の間に丸棒（１０２）を配設することでドレン水を発生する機器としては前記フィルター（４０Ａ）のみと配管を含めて前記エアドライヤー（３０）に固定し、これ等を一体に構成したことを特徴とする除菌フィルター付エアドライヤー。
【発明の詳細な説明】
【０００１】
【発明の属する技術分野】
本発明は、除菌フィルター付エアドライヤーに関する技術であって、更に詳細に述べると、圧縮空気を乾燥し除菌した清浄な状態にする為に使用しているエアドライヤーと除塵フィルターや除菌フィルターで構成されているフィルターを、接続している配管や関連する機器と共に一体にし、同時に、エアドライヤーやフィルターを構成している除塵フィルターが何等かの故障を発生した際に、その故障に際して装置全体のの停止時間を少なくすることと修理の利便性に配慮した技術に関するものである。
【０００２】
【従来の技術】
従来の、エアドライヤーや除塵フィルターや除菌フィルターを使用する技術としては、特公平３−３１４８５に示されるものが知られている。
【０００３】
この場合、コンプレッサからの圧縮空気の吐出配管中にコンプレッサの側から、エアドライヤーと除塵フィルターと除菌フィルターを配設することによって、圧縮空気より水分を段々に分離しながらドレン水として除去し、更にその圧縮空気は、最終的にメンブランフィルターを通過させることで除菌するようにした構成となっている。
【０００４】
【発明が解決しようとする課題】
しかしながら、このような従来の、エアドライヤーや除塵フィルターや除菌フィルターを使用する技術には、以下に示すような課題があった。
【０００５】
第一に、環境破壊にうるさい最近では、エアドライヤーやフィルターより発生したドレン水や、その他エアタンクやアフタークーラーより発生したドレン水は、油水分離装置で浄化することが一般的となっている。  この場合、これらの機器に接続している配管や関連する機器に関しては、どんなに小さくても設置場所を考慮する必要が有り、従来は使用する側の希望に沿って構成を定めていくと、結果的に広い設置場所を必要とした。
【０００６】
第二に、構成している機器の数が多い為、新設に際しては、配管工事を含め、設置にかなりの手間と時間を要していた。  また、機器の数が多い分、運搬等の準備作業も大変であった。  従って、これ等の費用が全て設備を新設する費用に加算されていた。
【０００７】
第三に、最近の技術では、除菌された圧縮空気を必要とする場合、エアドライヤーと除塵フィルターと除菌フィルターを三点まとめて必要とすることが一般的になっていたが、常に個々に選択し、常に配置を考え、常に配設の工事をするという煩わしさがあった。
【０００８】
第四に、エアドライヤーやエアフィルターに何等かの事故が発生した場合には、事故の際のその対応まで配慮されていなかった為に、長時間の間装置を停止している場合があった。特に、エアドライヤーの事故が除塵フィルターの異常に連なることが多く、両方の機器が同時という事故の場合、対応に要する時間もより長くなっていた。
本発明はこのような課題を解決することを目的としている。
【０００９】
【課題を解決するための手段】
本発明は、エアドライヤー３０と除菌を含むフィルター４０Ａの順で圧縮空気が上流から流入し下流から流出するように圧縮空気配管９２ｂ、９３、９４ａ、９４ｂで接続し、更に前記エアドライヤー３０で圧縮空気より発生したドレン水を流すドレン配管１２１、１２２、１２３、１２４と前記フィルター４０Ａで圧縮空気より発生したドレン水を流すドレン配管１３１ａ、１３１ｂ、１３２ａ、１３２ｂ、１３３ａ、１３３ｂ、１３４ａ、１３４ｂを介して下流ではドレン水を集めて流出するようにしたドレン集合管１４０で接続し、圧縮空気が前記エアドライヤー３０に流入するように接続している前記圧縮空気配管９２ｂの他端にＴ型の継手１０１を配設し、前記フィルター４０Ａから流出するように接続している前記圧縮空気配管９４ｂの他端にＴ型の継手１０３を配設し、前記Ｔ型の継手１０１、１０３の間に丸棒１０２を配設することでドレン水を発生する機器としては前記フィルター４０Ａのみと配管を含めて前記エアドライヤー３０に固定し、これ等を一体に構成したことを特徴とすることによって、上記課題を解決した。
【００１０】
【発明の実施の形態】
本願発明による、除菌フィルター付エアドライヤーの実施の形態を図面と共に詳細に説明する。
ここで、図１は、本願発明による除菌フィルター付エアドライヤーの一つの実施例を示した図であり、図２は、本願発明による除菌フィルター付エアドライヤーの一つの実施例のうちのフィルターの部分を詳細に示した図であり、図３は、本願発明によるフィルター付エアドライヤーの回路図で示した別の第一実施例であり、図４は、本願発明によるフィルター付エアドライヤーの回路図で示した別の第二実施例である。
【００１１】
（一つの実施例）
図１で、３０はエアドライヤーであり、図１に示していない部分の前後の機器の接続に関しては、先ず、エアコンプレッサが大気を吸引することによって作り出した圧縮空気をエアタンクに貯蔵し、貯蔵した圧縮空気をエアドライヤー３０に送り込むようになっている。この場合、本願発明では、圧縮空気配管９２ａ、９２ｂを経由して圧縮空気をエアドライヤー３０に送り込むように構成されている。
【００１２】
次に、エアドライヤー３０に送り込まれた圧縮空気は水分を取り除かれた後、圧縮空気配管９３、９４ａ、９４ｂ、９４ｃの途中に配設した、除塵フィルター４０ａ及び除菌フィルター４０ｂより成るフィルター４０Ａを経由させることでここでも水分を取り除かれると同時に各種の異物や細菌類を取り除き、圧縮空気配管９４ｃの下流でエアシリンダーやエアモータ等の各種の空圧機器が円滑に作動するように乾いた細菌類の取り除かれた清浄な圧縮空気３０３を安定して供給している。
【００１３】
尚、フィルター４０Ａを構成している除塵フィルター４０ａと除菌フィルター４０ｂの配列の順序としては、常に濾過能力の細かい除菌フィルター４０ｂが下流に位置するように記載の順に配設しているが、フィルター４０Ａの構成としては、図１や図２では二つの構成のものを示しているが、除菌等の濾過能力の細かいフィルターを下流に位置させていれば、三つの構成も、それ以上の構成も考えられる。
【００１４】
ここで、図２に見られるように、除塵フィルター４０ａは、ボディ４１ａと、円筒濾材より成るフィルターエレメント４３ａと、ハウジング４２ａ等より構成され、フィルターエレメント４３ａは、圧縮空気中に含まれるゴミ等の異物を除去している。
【００１５】
また、除菌フィルター４０ｂは、ボディ４１ｂと、このボディ４１ｂの下方に着脱自在に螺合によって取着されたハウジング４２ｂより成り、このハウジング４２ｂ内には、通口４４ａｂを有する円筒状のフィルター支持体４４ｂが下方に配設され、このフィルター支持体４４ｂの周りに円筒状のメンブランフィルターエレメント４３ｂが挿脱自在に取着されている。
【００１６】
尚、ボディ４１ｂには、円筒状のメンブランフィルターエレメント４３ｂに対向することなく、その外側域に連なる圧縮空気の流入口４１ａｂが形成されていると共に、円筒状のフィルター支持体４４ｂの内側に連なる流出口４１ｂｂが形成されている。また、ハウジング４２ｂの底部内側には、ドレン溜り４２ａｂが形成されている。
【００１７】
即ち、流入口４１ａｂは、円筒状のメンブランフィルターエレメント４３ｂに対向することなく、その外側域に連なるものであり、且つドレン溜り４２ａｂは、メンブランフィルターエレメント４３ｂを介してのみ流出口４１ｂｂに連なるのである。
【００１８】
一方、円筒状のメンブランフィルターエレメント４３ｂを円筒状のフィルター支持体４４ｂによって挿脱自在にする手段としては、ボディ４１ｂに螺着出来るボルト４７ｂと、フィルター支持体４４ｂの端末４４ｂｂを下方から保持している板４５ｂとナット４６ｂによる構成を、図２に一つの例として示している。
【００１９】
さて、メンブランフィルターエレメント４３ｂとしては通常、０．１〜５μｍ程度の能力であるが、一般の細菌類やカビや酵母等の真菌類の除菌を可能にする為、０．１〜０．４μｍ程度の能力のものを用いている。ここで、このメンブランフィルターエレメント４３ｂの材料としては、再生セルロースやニトロセルロース等が考えられる。
【００２０】
この場合、本願発明では、圧縮空気配管９２ａ、９４ｂと圧縮空気配管９２ｂ、９４ｃの間に形成された接続部１０１、１０３にＴ形の継手を配設し、このＴ形の継手の各々の一つの流路部に丸棒１０２を配設することによって、流路を密閉すると同時に、空中に不安定に位置している圧縮空気配管９４ｃを固定する役目も果たしている。
【００２１】
尚、エアドライヤー３０としては、アフタークーラが内蔵される場合も考えられる。また、エアドライヤー３０は、本願発明では冷凍式のものを考えているが、中空糸によるものや、乾燥剤によるもの等、その他の方式によるものでもかまわない。
【００２２】
一方、エアドライヤー３０と、フィルター４０Ａを構成している除塵フィルター４０ａと除菌フィルター４０ｂから、特にエアドライヤー３０から圧縮空気よりドレン水が発生する。従って、発生したドレン水を河川等にそのまま排出しても問題の無い清水とする為に油水分離装置で処理する必要があり、その為に一般的には発生しているドレン水をドレン集合管１４０にまとめている。
【００２３】
即ち、エアドライヤー３０には発生したドレン水を流す為に、ドレン配管１２１と管路を開閉する弁７２とドレン配管１２２とドレン水と圧縮空気を一緒に排出するドレントラップ８２とドレン配管１２３と逆止弁６２とドレン配管１２４を配設して集合管１４０に接続している。
【００２４】
従って、逆止弁６２の配設によって、ドレン配管１２４からドレン配管１２３にドレンが逆流することを防止している。即ち、逆止弁６２を通過したドレンはエアドライヤー３０側に戻る心配は無い。
【００２５】
尚、エアドライヤー３０に接続しているドレン配管１２３、１２４の間に配設した逆止弁６２に関しては、圧縮空気を作り出している源であるエアコンプレッサからの圧縮空気の流れる順序と途中の各種配管や機器による圧力損失を考慮すると、エアドライヤー３０内の圧縮空気の圧力は圧縮空気の流れる順序としては下流にある除塵フィルター４０ａや除菌フィルター４０ｂ内の圧縮空気の圧力より高いということから、除去してもかまわない。
【００２６】
また、除塵フィルター４０ａには発生したドレン水を流す為にその下部に、ドレン配管１３１ａと管路を開閉する弁７３ａとドレン配管１３２ａとドレンを場合によってはドレンと圧縮空気を一緒に排出するドレントラップ８３ａとドレン配管１３３ａと逆止弁６３ａとドレン配管１３４ａを配設して、集合管１４０に接続している。
【００２７】
更に、除菌フィルター４０ｂには発生したドレン水を流す為にその下部に、ドレン配管１３１ｂと管路を開閉する弁７３ｂとドレン配管１３２ｂとドレンを場合によってはドレンと圧縮空気を一緒に排出するドレントラップ８３ｂとドレン配管１３３ｂと逆止弁６３ｂとドレン配管１３４ｂを配設して、集合管１４０に接続している。
【００２８】
従って、逆止弁６３ａ、６３ｂの配設によって、ドレン配管１３４ａ、１３４ｂからドレン配管１３３ａ、１３３ｂにドレンが逆流することを確実に防止している。即ち、逆止弁６３ａ、６３ｂを通過したドレンはエアドライヤー３０側に戻る心配は無い。
【００２９】
この様に、エアドライヤー３０と、フィルター４０Ａを構成している除塵フィルター４０ａと除菌フィルター４０ｂから、圧縮空気より発生したドレン水を集合管１４０に集めることで、集合されたドレン水３１３は、図示していない油水分離装置で容易に処理可能になっている。
【００３０】
今迄説明した、図１に示された、エアドライヤー３０と、除塵フィルター４０ａと除菌フィルター４０ｂより構成されるフィルター４０Ａと、圧縮空気配管９２ａ、９２ｂ、９３、９４ａ、９４ｂ、９４ｃと、ドレン配管１２１、１２２、１２３、１２４、１３１ａ、１３１ｂ、１３２ａ、１３２ｂ、１３３ａ、１３３ｂ、１３４ａ、１３４ｂと、弁７２、７３ａ、７３ｂと、ドレントラップ８２、８３ａ、８３ｂと、逆止弁６２、６３ａ、６３ｂと、ドレン集合管１４０と、接続部１０１、１０３に形成したＴ形の継手と、丸棒１０２の全機器を一体にして台２００に固定された状態で構成している。
【００３１】
即ち、本願発明によって、エアドライヤー３０と、除塵フィルター４０ａと除菌フィルター４０ｂより構成されるフィルター４０Ａが、両者一体となって、配管等の関連する機器も含めてあたかも一つの機器であるような構成としたのである。この様に一体化することによって、乾燥した除菌された清浄な圧縮空気を作り出す装置を設置しようとするユーザーは、数多くの機器を個々に選択する必要がなくなった。
【００３２】
但し、固定する位置としては、図１では、台２００はエアドライヤー３０の下部に位置しているが、台２００が無い場合や、フィルター４０Ａがエアドライヤー３０の上部に位置するのでは無くフィルター４０Ａとエアドライヤー３０が並行に位置したりする場合等、色々な配置が考えられる。当然、台２００の形状も色々と変化する可能性は有る。
【００３３】
本発明による、除菌フィルター付エアドライヤーは、前述したように構成されており、以下に、その動作について説明する。
【００３４】
先ず、乾燥した除菌された清浄な圧縮空気を作りだし、その圧縮空気より発生したドレン水も清水とする装置を設置しようとする場合、エアコンプレッサと、本願発明による除菌フィルター付エアドライヤーと、油水分離装置を準備して、圧縮空気配管９２ａの部分でエアコンプレッサに、ドレン集合管１４０で全体のドレン水が集まった部分で油水分離装置に接続することで装置が準備される。この場合、エアコンプレッサと除菌フィルター付エアドライヤーと油水分離装置の三点より構成される装置は、必要最小限のものであるが、乾燥した除菌された清浄な圧縮空気を作りだしその圧縮空気より発生したドレン水も清水として排出するという目的は十分に達成出来る装置となる。
【００３５】
ここで、準備された装置を作動させることによって、エアコンプレッサで作り出された圧縮空気が、本願発明の除菌フィルター付エアドライヤーを通過することで、圧縮空気は、エアドライヤー３０と、除塵フィルター４０ａと除菌フィルター４０ｂより構成されるフィルター４０Ａを各々通過し、乾燥した除菌された清浄な圧縮空気３０３となるが、同時にドレン水３１３を発生する。この場合、発生したドレン水３１３は、エアドライヤー３０と除塵フィルター４０ａと除菌フィルター４０ｂで発生したドレン水がすべて集められたものである。
【００３６】
特に、図２に見られるように、エアドライヤー３０では、ドレン水を分離することで除湿された圧縮空気は、次の除塵フィルター４０ａに流入し、そこで圧縮空気中のゴミ等の粒子が除去される。ここに於いても、外気によって冷却されたり、フィルターエレメント４３ａの抵抗等によりドレン水を分離する。さて、除塵フィルター４０ａを出た、かなり除湿された圧縮空気は、次に除菌フィルター４０ｂの流入口４１ａｂよりメンブランフィルターエレメント４３ｂに直接当たることなく、その外側のハウジング４２ｂの内側に流入し、そこからメンブランフィルターエレメント４３ｂを通過する。
【００３７】
そして、圧縮空気が除菌フィルター４０ｂに流入した時、圧縮空気はいったんメンブランフィルターエレメント４３ｂの外側域に吐出され、従って水粒子はメンブランフィルターエレメント４３ｂに付着しないのでメンブランフィルターエレメント４３ｂの水粒子による目詰まりが防止されると共に、そこで菌が増殖するのを防止している。
【００３８】
また、エアドライヤー３０と除塵フィルター４０ａと除菌フィルター４０ｂで発生したドレン水は、ドレン配管１２１、１３１ａ、１３１ｂと、弁７２、７３ａ、７３ｂと、ドレン配管１２２、１３２ａ、１３２ｂと、ドレントラップ８２、８３ａ、８３ｂと、ドレン配管１２３、１３３ａ、１３３ｂと逆止弁６２、６３ａ、６３ｂとドレン配管１２４、１３４ａ、１３４ｂを経由して集合管１４０に集められる。
【００３９】
尚、ドレントラップ８２、８３ａ、８３ｂは、ドレンを圧縮空気と共に排出するようになっている。更に、逆止弁６２、６３ａ、６３ｂを配設することによって、集合管１４０に集められたドレン水が集合管１４０の側からエアドライヤー３０の側に逆流してくる恐れは無い。
【００４０】
（別の第一実施例）
図３で、図１に示した（一つの実施例）と異なる点は、（一つの実施例）のドレン集合管１４０に代えてドレン集合管１４０Ａを配設し、このドレン集合管１４０Ａに合流部１４１を形成し、ドレン配管１６４と逆止弁６４を接続したことである。  この場合、合流部１４１の位置は、ドレン集合管１４０Ａ上であれば、何れの場所でもかまわない。
【００４１】
この事によって、エアドライヤー３０とフィルター４０Ａを構成している除塵フィルター４０ａと除菌フィルター４０ｂ以外のドレン水を発生するエアタンクやアフタークーラー等の機器の接続も容易となった。この場合も、図３には具体的に示されていないが、図１に示されている丸棒１０２も含めて、図３に示されている全構成機器が一体となっていることが本願発明の特徴となっているのである。
【００４２】
尚、動作については、エアドライヤー３０とフィルター４０Ａを構成している除塵フィルター４０ａと除菌フィルター４０ｂ以外のドレン水を発生する機器からも合流部１４１を経由してドレン水を受け入れることが可能ということを除いては同じであるので、具体的な内容は省略する。
【００４３】
（別の第二実施例）
図４で、図３に示した（別の第一実施例）と異なる点は、バイパス回路１７３ａ、１７３ｂ、１７３ｃ、１７３ｄ、１７３ｚを設けていることと、バイパス回路１７３ａ、１７３ｃとバイパス回路１７３ｂ、１７３ｄの途中と、圧縮空気配管９２ｂａ、９３ａ、９３ｃ、９４ａａと圧縮空気配管９２ｂｂ、９３ｂ、９３ｄ、９４ａｂの途中に、弁１９５、１９８、１９１、１９６、１９７、１９３を配設したことである。
【００４４】
この、バイパス回路１７３ａ、１７３ｂ、１７３ｃ、１７３ｄ、１７３ｚと弁１９５、１９８、１９１、１９６、１９７、１９３を配設することによって、通常は、弁１９５、１９８を閉鎖し弁１９１、１９６、１９７、１９３を開放することでエアドライヤー３０と除塵フィルター４０ａと除菌フィルター４０ｂが使用可能の状態になる。一方、エアドライヤー３０に何等かの異常が発生した場合には、弁１９５、１９７、１９３を開放し弁１９１、１９６、１９８を閉鎖することで、当面の装置の使用を可能にするものであり、除塵フィルター４０ａに何等かの異常が発生した場合には、弁１９１、１９６、１９８を開放し弁１９５、１９７、１９３を閉鎖することで、当面の装置の使用を可能にするものであり、エアドライヤー３０と除塵フィルター４０ａの両方に何等かの異常が発生した場合には、弁１９５、１９８を開放し弁１９１、１９６、１９７、１９３を閉鎖することで、当面の装置の使用を可能にするものである。
【００４５】
この場合、バイパス回路１７３ａ、１７３ｂ、１７３ｃ、１７３ｄ、１７３ｚと図１に示した丸棒１０２と異なる丸棒を使用することによって、（一つの実施例）と（別の第一実施例）に示した丸棒１０２に代えて配設し、同様に圧縮空気配管９４ｃを固定する目的も兼ね備えることが出来る。
【００４６】
尚、動作については、エアドライヤー３０とフィルター４０Ａを構成している除塵フィルター４０ａに異常が発生した場合には、状況に応じてバイパス回路１７３ａ、１７３ｂ、１７３ｃ、１７３ｄ、１７３ｚの何れかの部分を経由させることになる。それ以外については、（別の第一実施例）と同じであるので、具体的な内容は省略する。
【００４７】
【発明の効果】
以上の説明から明らかなように、本発明により、下記のような効果をあげることができる。
【００４８】
第一に、エアドライヤーと、除塵フィルターや除菌フィルターによって構成されるフィルターと、これ等の機器に関連する配管等の機器を全て一体にすることで、設置場所の選択に苦労するようなことは解消された。特に、小さい機器ほど設置場所の選択に苦労していたが、エアドライヤーの上部等に一体に構成することで、エアドライヤーを設置すれば装置の大半は設置を完了したようになった。
また、コストの面でも安価な装置が可能となった。
【００４９】
第二に、ドリン集合管に合流部を設けることで、通常使用しているエアドライヤーやフィルター以外のドレン水を発生する機器の接続も容易に対応可能な装置となった。
【００５０】
第三に、エアコンプレッサと、除菌フィルター付エアドライヤーと、油水分離装置を準備するだけで、乾燥した除菌された綺麗な圧縮空気と、油を含む各種の異物を分離した清水が排出されるという環境に優しい装置が可能となった。従って、設備を新設するに当たっての工事も、相互の配管をするだけで良く、３種類の機器を設置場所に対応させて自由に配置することが出来るという自由もあった。
【００５１】
第四に、バイパス回路を設けることで、エアドライヤーや除塵フィルターに異常が発生した際にも、装置全体を休止させなくても良くなった。
【図面の簡単な説明】
【図１】本願発明による除菌フィルター付エアドライヤーの一つの実施例を示した図
【図２】本願発明による除菌フィルター付エアドライヤーの一つの実施例のうちのフィルターの部分を詳細に示した図
【図３】本願発明によるフィルター付エアドライヤーの回路図で示した別の第一実施例
【図４】本願発明によるフィルター付エアドライヤーの回路図で示した別の第二実施例
【符号の説明】
３０・・・・・エアドライヤー
４０Ａ・・・・フィルター
４０ａ・・・・除塵フィルター
４０ｂ・・・・除菌フィルター
４１ａ・・・・ボディ
４１ａｂ・・・流入口
４１ｂｂ・・・流出口
４１ｂ・・・・ボディ
４２ａ・・・・ハウジング
４２ａｂ・・・ドレン溜り
４２ｂ・・・・ハウジング
４３ａ・・・・フィルターエレメント
４３ｂ・・・・メンブランフィルターエレメント
４４ａｂ・・・通口
４４ｂｂ・・・端末
４４ｂ・・・・フィルター支持体
４５ｂ・・・・板
４６ｂ・・・・ナット
４７ｂ・・・・ボルト
６２・・・・・逆止弁
６３ａ・・・・逆止弁
６３ｂ・・・・逆止弁
６４・・・・・逆止弁
７２・・・・・弁
７３ａ・・・・弁
７３ｂ・・・・弁
８２・・・・・ドレントラップ
８３ａ・・・・ドレントラップ
８３ｂ・・・・ドレントラップ
９２ａ・・・・圧縮空気配管
９２ｂ・・・・圧縮空気配管
９２ｂａ・・・圧縮空気配管
９２ｂｂ・・・圧縮空気配管
９３・・・・・圧縮空気配管
９３ａ・・・・圧縮空気配管
９３ｂ・・・・圧縮空気配管
９３ｃ・・・・圧縮空気配管
９３ｄ・・・・圧縮空気配管
９４ａ・・・・圧縮空気配管
９４ａａ・・・圧縮空気配管
９４ａｂ・・・圧縮空気配管
９４ａｃ・・・圧縮空気配管
９４ｂ・・・・圧縮空気配管
９４ｃ・・・・圧縮空気配管
１０１・・・・接続部（Ｔ形の継手）
１０２・・・・丸棒
１０３・・・・接続部（Ｔ形の継手）
１２１・・・・ドレン配管
１２２・・・・ドレン配管
１２３・・・・ドレン配管
１２４・・・・ドレン配管
１３１ａ・・・ドレン配管
１３１ｂ・・・ドレン配管
１３２ａ・・・ドレン配管
１３２ｂ・・・ドレン配管
１３３ａ・・・ドレン配管
１３３ｂ・・・ドレン配管
１３４ａ・・・ドレン配管
１３４ｂ・・・ドレン配管
１４０・・・・ドレン集合管
１４０Ａ・・・ドレン集合管
１４１・・・・合流部
１６４・・・・ドレン配管
１７３ａ・・・バイパス回路
１７３ｂ・・・バイパス回路
１７３ｃ・・・バイパス回路
１７３ｄ・・・バイパス回路
１７３ｚ・・・バイパス回路
１９１・・・・弁
１９３・・・・弁
１９５・・・・弁
１９６・・・・弁
１９７・・・・弁
１９８・・・・弁
２００・・・・台
３０３・・・・圧縮空気
３１３・・・・ドレン水
【図１】
0003965489.tif 000002
【図２】
0003965489.tif 000003
【図３】
0003965489.tif 000004
【図４】
0003965489.tif 000005